(57)【特許請求の範囲】
【請求項１】
香料を含む疎水性材料を内包したマイクロカプセルを繊維質基材に担持させたことを特徴とする非吸収面用払拭材であって、前記マイクロカプセルの粒径が１０〜９０μｍであり、前記マイクロカプセルの担持量が繊維質基材１００重量部に対して１００〜６００重量部である非吸収面用払拭材。
【請求項２】
筆記消去用材料として用いる請求項１記載の非吸収面用払拭材。
【請求項３】
繊維質基材における繊維径が０．００１〜１０デニールである請求項１記載の非吸収面用払拭材。
【発明の詳細な説明】
【０００１】
【発明の属する技術分野】
本発明は、新規な非吸収面用払拭材に関する。
【０００２】
【従来技術】
液体インキマーカー、固形描画材、固形マーカー等によってホワイトボード、カラーボード、ガラス板等の非吸収面に書かれた筆跡を拭き取る手段としては、フェルト製払拭材が従来より用いられている。
【０００３】
しかしながら、この払拭材では、筆記直後に拭き取る場合には、インキが十分乾燥していないために筆跡（インキ）をひき伸ばしてしまい、却ってホワイトボード等を汚すことになる。また、この場合には、払拭材自体にも汚れが残ることがある。さらに、筆記後時間が経過した筆跡を拭き取る場合には、かなりの拭取圧を加えないと筆跡を容易に消すことができない。加えて、従来のフェルト製払拭材では、油性インキによる筆跡を容易に拭き取ることが困難であることから、ホワイトボード等で使用できるインキがホワイトボード用インキマーカーに限られていた。
【０００４】
一方、筆跡と払拭具との間に粉体を介在させて筆跡を拭き取る方法が提案されている（特開平４−８５０９９号）。この方法によれば、当該粉体がインキ中の添加剤を取り込むことができるので、当該添加剤に起因する再筆記時の筆跡のにじみ等が生じることなく、筆跡を容易に拭き取ることができる。
【０００５】
しかしながら、上記方法では、筆跡の拭き取りを行うたびに粉体を払拭具と筆跡との間に介在させる必要があり、非常に手間がかかる。また、粉体が散乱すればその清掃作業等も必要となる。この点において、より簡便な方法で筆跡を消去することができる方法を開発する余地があった。
【０００６】
【発明が解決しようとする課題】
従って、本発明は、非吸収面上の筆跡をより簡便かつ確実に拭き取ることができる非吸収面用払拭材を提供することを主な目的とする。
【０００７】
【課題を解決するための手段】
本発明者は、上記の従来技術の問題に鑑み、鋭意研究を重ねた結果、特定構成からなる払拭材が上記目的を達成できることを見出し、ついに本発明を完成するに至った。
【０００８】
すなわち、本発明は、香料を含む疎水性材料を内包したマイクロカプセルを繊維質基材に担持させたことを特徴とする非吸収面用払拭材に係るものである。
【０００９】
【発明の実施の形態】
以下、本発明をその実施の形態とともに説明する。
【００１０】
本発明の香料を含む疎水性材料を内包したマイクロカプセルは、香料を含む疎水性材料を芯物質とし、界面重合法、不溶化反応法、相分離法、界面沈殿法、噴霧乾燥法、流動床法等の公知の方法に従ってマイクロカプセル化したものを用いることができる。この中でも本発明では、インサイチュー重合法、界面重合法等によってマイクロカプセル化することが好ましい。
【００１１】
本発明におけるマイクロカプセルの壁材としては、疎水性材料の組成等に応じて適宜選択すれば良く、通常マイクロカプセルの壁材として用いられるものであれば特に制限されない。例えば、ゼラチン−アラビアゴム、ポリスチレン、アクリル樹脂、アミノ樹脂、エポキシ樹脂、ウレタン樹脂等を用いることができる。この中でも、特にＯ／Ｗ系（水中油滴型エマルジョン）で重合（壁形成）が可能なものであればより最適である。このような壁材としては、メラミンホルマリン樹脂、尿素ホルマリン樹脂、エポキシ樹脂等を例示できる。
【００１２】
本発明で用いるマイクロカプセルの粒径は、特に制限されないが、通常１００μｍ未満、好ましくは１０〜９０μｍ、より好ましくは２０〜５０μｍとする。粒径が大きすぎる場合は、一般にマイクロカプセルが容易に壊れやすくなるので好ましくない。
【００１３】
上記疎水性材料は、必須成分として香料を含む組成からなる。香料としては、特に制限されず、公知の天然香料及び合成香料のいずれも使用でき、また市販品もそのまま使用することができる。例えば、天然香料としては、ムスク、シベット、アンバーグリス、カストリウム等の動物性香料、アビエス油、アーモンド油、アンブレット油、シード油、アンゲリカ油、アニス油、アルモアゼ、バルサムコパイバ、バルサムペルー、バルサムトルー、バジル、ベイ油、ベンゾイン、ベルガモット油、ボアドローズ油、カヤプテ、カラムス油、カンファー、カナンガ油、キャラウェー油、カルダモン、カシア油、カッシー、セダーウッド、セダーリーフ、セロリ、カモミル、シナモン、シトロネラ油、クローブ油、コリアンダー油、コスタス、クミン、ダヴァナ、ディルエレミ、エストラゴン油、ユーカリ、フェンネル油、フェニグリーク、ガルバナム、ゼラニウム、グレープフルーツ、グアイヤック、ひば、ヒノキ油、ホウショウ油、ヒヤシンス、インモルテル、ジャスミン油、ジョンキル、ジュニパーベリー、ラブダナム油、ラバンジン油、ラベンダー油、レモン油、レモングラス油、ライム油、リナロエ油、リセアキュベバ、ロベージ、マンダリン、マージョラム、ミモザミント、マスタード、ミル、ミルトル、スイセン、ナツメグ、オークモス油、オリバナム油、オニオン、オポポナックス、オレンジ油、オリス油、パセリ、パチュリ、パルマローザ油、ペニーロイヤル、ペッパー、ペリア、ペチグレン、ネロリ油、オレンジフラワー油、ピンメタ油、パイン油、ローズ油、ローズマリー油、セージクラレー油、セージサンダル、スパイクラベンダー油、スターアニス油、スチラックス油、タジェット、タイム油、トンカ豆、チュベローズ、テレピン油、バレリアン、バニラ、ベチバースミレ、ウィンターグリーン、ワームウッド、イランイラン油、ユズ等の植物性香料が挙げられる。
【００１４】
合成香料としては、テルペン系、芳香族系、脂肪族系等のものが例示され、これらの中でもエステル類、アルコール類、ケトン類、アルデヒド類、炭化水素類の１種又は２種以上を用いることが好ましい。エステル類としては、例えばギ酸ゲラニル、ギ酸ベンジル、ギ酸フェニルエチル、酢酸エチル、酢酸イソアミル、酢酸シトロネリル、酢酸ゲラニル、酢酸リナリル、酢酸ボルニル、酢酸ベンジル、酢酸フェニルエチル、酢酸メチルフェニルカルビニル、酢酸シンナミル、酢酸イソオイゲノール、酢酸ジヒドロテルペニル、酪酸エチル、酪酸イソアミル、酪酸ゲラニル、酪酸リナリル、酪酸ベンジル、安息香酸メチル、安息香酸エチル、安息香酸イソブチル、安息香酸ゲラニル、安息香酸イソアミル、安息香酸リナリル、安息香酸ベンジル、桂皮酸メチル、桂皮酸エチル、桂皮酸ベンジル、桂皮酸シンナミル、サリチル酸メチル、サリチル酸ベンジル、サリチル酸イソアミル、アンスラニル酸メチル等が挙げられる。アルコール類としては、例えばリナロール、ゲラニオール、シトロネロール、ネロール、ロジノール、ジメチルオクタノール、ヒドロキシシトロネロール、テトラヒドロリナロール、テルピネオール、メントール、ボルネオール、ファルネソール、ネロリドール、サンタロール、ベンジルアルコール、フェニルプロピルアルコール、フェニルエチルアルコール、桂皮アルコール、アニスアルコール、アミルシンナミックアルコール、ジメチルベンジルカルビノール、アニソール、オイゲノール等が挙げられる。ケトン類としては、例えばメチル−ｎ−アミルケトン、エチル−ｎ−アミルケトン、カルボン、ショウノウ、アセトフェノン、ベンゾフェノン、ヨノン、メチルヨノン、マルトール等が挙げられる。アルデヒド類としては、例えばヘプチルアルデヒド、オクチルアルデヒド、ノニルアルデヒド、デシルアルデヒド、ウンデシルアルデヒド、ドデシルアルデヒド、メチルノニルアセトアルデヒド、トリドデルアルデヒド、テトラデシルアルデヒド、ヘキサデシルアルデヒド、ノナジエナール、シトラール、シトロネラール、ベンズアルデヒド、シンナミックアルデヒド、フェニルアセトアルデヒド、ヘキシルシンナミックアルデヒド、アニスアルデヒド、ヘリオトロピン、バニリン、エチルバニリン等が挙げられる。炭化水素類としては、ピネン、カンフェン、リモネン、ジペンテン、テルピノーレン等が挙げられる。
【００１５】
香料の含有量は、用いる香料の種類等に応じて適宜設定すれば良いが、通常は疎水性材料中０．１〜９０重量％程度、好ましくは３０〜８０重量％とすれば良い。
【００１６】
上記疎水性材料としては、最終製品の用途等に応じて、香料以外の疎水性物質、例えば溶剤（アルコール類、炭化水素類、エーテル類、ケトン類、アルデヒド類、カルボン酸類等）、可塑剤（リン酸エステル類、フタル酸エステル類、脂肪族−塩基酸エステル類、脂肪族二塩基酸エステル類、二価アルコールエステル類、オキシ酸エステル類等）、その他界面活性剤、抗菌剤等の各種添加剤を本発明の効果を妨げない範囲内で適宜配合することができる。なお、これらも公知のもの又は市販品をそのまま使用することができる。香料も含めこれらの疎水性材料は、保存性等の見地よりその沸点が８０℃以上のものを用いることが好ましい。
【００１７】
本発明における繊維質基材は、マイクロカプセルを担持できる限り特に制限されない。例えば、主として合成樹脂繊維又は天然繊維からなる不織布、織物、紙、パルプ、ティッシュ等のいずれのものも適用することができる。これらの基材を構成する繊維の繊維径は、通常０．００１〜１０デニール程度、好ましくは０．１〜３デニールであることが好ましい。繊維径が大きすぎると、担持されたマイクロカプセルが脱落しやすくなるので好ましくない。一方、繊維径が小さすぎると、所定量のマイクロカプセルを担持できなくなる。
【００１８】
マイクロカプセルを繊維質基材に担持させる方法としては、特に制限されず、例えばマイクロカプセルに必要に応じてバインダー等と混合し、これを繊維質基材に塗布、含浸、噴霧、捺染等を行うことにより担持することができる。なお、マイクロカプセルは、スラリー状態、乾燥状態等のいずれの状態で使用しても良い。
【００１９】
繊維質基材に担持させるマイクロカプセル量は、繊維質基材の種類、疎水性材料の種類・量、最終製品の用途等に応じて適宜設定すれば良いが、通常は繊維質基材１００重量部に対して５０〜６００重量部程度、好ましくは１００〜３００重量部とすれば良い。
【００２０】
上記バインダーとしては、マイクロカプセルの内包物である疎水性材料を抽出しないものである限りは特に制限されず、公知のものを使用できる。例えば、アクリルエマルジョン系接着剤、酢酸ビニル樹脂エマルジョン接着剤等を使用することができる。バインダーを配合することにより、スラリー状態、乾燥状態等のいずれの状態で使用しても繊維質基材に容易に担持することができ、最終製品の形態を問わず容易に加工することができる。バインダーを用いる場合において、マイクロカプセルとバインダーとの混合割合（重量）は、最終製品の用途等に応じて適宜設定すれば良く、通常は１：０．５〜５程度とすれば良い。
【００２１】
マイクロカプセルを繊維質基材に担持させた後、必要に応じて乾燥すれば、本発明の非吸収面用払拭材が得られる。この払拭材は、そのまま使用することもできるが、捲回したり、折り畳んだり、或いは２以上を積層しても使用することができる。この場合、例えば市販品のように所定形状の樹脂成形体等に払拭材を巻き付けた状態で使用することもできる。さらに、使用に際しては、本発明払拭材を支持するため取手部を別途設けても良い。取手部を設けることにより、インキ等により手が汚れる等の心配がなくなる。取手部は、本発明払拭材を支持できる限り公知の払拭具の取手と同様の形状であっても良い。取手部の材質は合成樹脂製、木製、金属製等のいずれも適用することができる。
【００２２】
本発明の非吸収面用払拭材においては、これを用いてホワイトボード等の非吸収面上に書かれた筆跡の上から軽く擦れば、繊維質基材に担持された香料を含む疎水性材料が溶出し、これによって当該筆跡を簡単かつ確実に消去することが可能となる。
【００２３】
【発明の効果】
本発明の非吸収面用払拭材は、特定の疎水性材料を内包するマイクロカプセルを担持させていることから、容易かつ確実に筆跡を消去することができる。しかも、油性マーカー等で筆記した筆跡にも適用でき、インキの水性・油性を問わずに幅広く使用することができる。
【００２４】
また、筆跡を拭き取った後も払拭面は特に汚れず、外観上においても優れている。さらに、使用前に予めマイクロカプセルから内容物を溶出させる作業を必要とする従来技術と異なり、拭き取るごとに疎水性材料が溶出するので、香料としての機能も発揮することができる。
【００２５】
このような本発明の非吸収面用払拭材は、例えばホワイトボード用イレーザー等の筆記消去用材料として最適である。
【００２６】
【実施例】
以下、実施例及び比較例を示し、本発明の特徴とするところをより一層明確にする。
【００２７】
実施例１
メラミンホルマリン樹脂を壁材として合成香料（日進香料（株）製、ラベンダー）５０重量％及びフタル酸ジエチル５０重量％を芯物質とし、インサイチュー重合法によりマイクロカプセルスラリーを調製した。得られたマイクロカプセルの粒径は２０〜５０μｍであり、スラリー中のマイクロカプセル濃度は３５重量％であった。
【００２８】
次いで、マイクロカプセル濃度が２０重量％となるように水で希釈し、これを市販のティッシュ（（株）クレシア製「ＪＫワイパー」）にディップコートを施し、十分に乾燥させて払拭材を作成した。払拭材に含有されるマイクロカプセル量は９５ｇ／ｍ2であった。
【００２９】
一方、市販のホワイトボード（（株）サクラクレパス製）上に、固形ペンキ、ホワイトボード用油性マーカー、ホワイトボード用水性マーカー及び油性マーカー（いずれも（株）サクラクレパス製）を用いて文字を筆記した。これらのホワイトボード上の筆跡を上記払拭材で払拭したところ、容易に消去することができた。筆跡を拭き取った後も払拭面に汚れは認められず、また再筆記性も良好であった。
【００３０】
実施例２
尿素ホルマリン樹脂を壁材として合成香料（日進香料（株）製、オレンジ油）８０重量％及びトルエン２０重量％を芯物質とし、インサイチュー重合法によりマイクロカプセルスラリーを調製した。得られたマイクロカプセルの粒径は５０〜８０μｍであり、スラリー中におけるマイクロカプセル濃度は３０重量％であった。
【００３１】
次いで、上記スラリー６０重量部とアクリル系エマルジョン接着剤（日本カーバイド工業（株）製「ニカゾールＦＸ−３３６」）４０重量部を混合した。これを不織布（旭化成工業（株）製「シャレリア」）に捺染し、十分に乾燥させて払拭材を作成した。払拭材に含有されるマイクロカプセル量は１００ｇ／ｍ2であった。
【００３２】
一方、市販のホワイトボード（（株）サクラクレパス製）上に、固形ペンキ、ホワイトボード用油性マーカー、ホワイトボード用水性マーカー及び油性マーカー（いずれも（株）サクラクレパス製）を用いて文字を筆記した。これらのホワイトボード上の筆跡を上記払拭材で払拭したところ、容易に消去することができた。筆跡を拭き取った後も払拭面に汚れは認められず、また再筆記性も良好であった。
【００３３】
比較例１
実施例１で用いた市販のティッシュを用いて、実施例１と同様にホワイトボード上の筆跡を払拭したところ、ホワイトボード用マーカー（油性・水性）による筆跡は容易に消去できたが、固形ペンキ及び油性マーカーによる筆跡は消去不可能であった。
【００３４】
比較例２
実施例２で用いた不織布を用いて、実施例２と同様にホワイトボード上の筆跡を払拭したところ、ホワイトボード用マーカー（油性・水性）による筆跡は容易に消去できたが、固形ペンキ及び油性マーカーによる筆跡は消去不可能であった。